(57)【特許請求の範囲】
【請求項１】
当該鍵盤楽器とは別体に移動可能に設けられ、当該鍵盤楽器の鍵盤全体を覆うことが可能なサイズの布と、
この布に内蔵され、隣り合った電熱線同士が近接するように蛇行して配線された電熱線を有し、電源供給により発熱する電熱線ヒータと、
互いに係合可能な一対の面ファスナと、を備え、
当該面ファスナの一方が前記布の表面に固定され、他方が当該鍵盤楽器の前記鍵盤の近傍に固定されていることを特徴とする鍵盤楽器の暖房装置。
【請求項２】
前記布は、折畳み部を介して、前記鍵盤全体とほぼ同一のサイズに折り畳むことが可能で、前記折畳み部以外の部分に、前記電熱線ヒータが内蔵されていることを特徴とする請求項１記載の鍵盤楽器の暖房装置。
【請求項３】
鍵盤蓋の開／閉に応じて、前記電熱線ヒータをオン／オフするスイッチをさらに備えることを特徴とする請求項１または２記載の鍵盤楽器の暖房装置。
【発明の詳細な説明】
【０００１】
【発明の属する技術分野】
本発明は、鍵盤楽器の鍵盤および演奏者の足下や膝付近を暖める鍵盤楽器の暖房装置に関する。
【０００２】
【従来の技術】
寒冷時、特に冬季の朝などにおいては、鍵盤楽器の演奏を行う場合、鍵盤部が冷え切っているために、指先がかじかみ、演奏に支障を来すと共に、演奏意欲を削いでしまうことがある。従来、この問題を解決する鍵盤楽器の暖房装置として、鍵盤の中に電熱線ヒータなどのヒータを埋め込んで、電気的に鍵盤自体を暖めるものが知られている。
【０００３】
【発明が解決しようとする課題】
上記従来の鍵盤楽器の暖房装置によれば、鍵盤内に電熱線ヒータなどを埋め込むために、鍵盤部内に配線を行う必要があり、製作が難しく、製作コストがかかるという問題がある。特にアコースティックピアノの場合は、電子鍵盤楽器と異なり、もともと配線を行うような構造になっていないので、この問題が顕著である。また、鍵盤自体を暖める構造のため、鍵盤自体は暖まるが、室温が上昇するまで、足元や膝付近が寒く、演奏が苦痛になるという問題もある。
【０００４】
本発明は、上記課題を解決するためになされたもので、製作が容易で、製作コストを削減することができ、鍵盤および演奏者の足元や膝付近を効果的に暖めることができる鍵盤楽器の暖房装置を提供することを目的とする。
【０００５】
【課題を解決するための手段】
請求項１の鍵盤楽器の暖房装置によれば、鍵盤楽器とは別体に移動可能に設けられ、鍵盤楽器の鍵盤全体を覆うことが可能なサイズの布と、この布に内蔵され、隣り合った電熱線同士が近接するように蛇行して配線された電熱線を有し、電源供給により発熱する電熱線ヒータと、互いに係合可能な一対の面ファスナと、を備え、面ファスナの一方が布の表面に固定され、他方が鍵盤楽器の鍵盤の近傍に固定されていることを特徴とする。
【０００６】
この鍵盤楽器の暖房装置によれば、電熱線ヒータは、電熱線が隣り合った電熱線同士が近接するように蛇行して配線されているので、隙間無く非常に密に配線できることによって、電熱線ヒータの長さを十分に確保し、発熱効果を上げることができる。これにより、この電熱線ヒータを内蔵した布で鍵盤全体を覆い、電源の供給により電熱線ヒータを発熱させた場合、鍵盤全体をムラなく、均等に効果的に暖めることができる。また、この布は、鍵盤楽器とは別体なので、従来のような鍵盤内にヒータを埋め込むものと比べて製作が容易になり、その製作コストを削減することができる。さらに、この布は、鍵盤楽器に対して移動可能なので、演奏時には膝掛けとして演奏者の膝に載せることができ、これにより、演奏者の足元や膝付近を効果的に暖めることができる。また、面ファスナの一方と他方とを係合させるというワンタッチの動作で、電熱線ヒータを内蔵した布を鍵盤の近傍部に固定することができる。これにより、布が鍵盤から外れたり、床に落ちたりすることがなくなるので、鍵盤を確実に暖めることができる。
【０００７】
上記において、布は、折畳み部を介して、鍵盤全体とほぼ同一のサイズに折り畳むことが可能で、折畳み部以外の部分に、電熱線ヒータが内蔵されていることが好ましい。
【０００８】
この鍵盤楽器の暖房装置によれば、布は、折畳み部を介して、鍵盤全体とほぼ同一のサイズに折り畳むことが可能なので、鍵盤の暖房時には、折り畳んで使用し、膝掛けとして使用するときには、広げて大きなサイズで使用することができる。また、この布は、折畳み部以外の部分に、電熱線ヒータが内蔵されており、折り畳んだり、広げたりする動作を繰り返しても、電熱線ヒータに曲げ荷重がほとんどかからないので、断線しにくい。これにより、耐久性が向上する。
【００１１】
鍵盤蓋の開／閉に応じて、電熱線ヒータをオン／オフするスイッチをさらに備えることが好ましい。
【００１２】
この鍵盤楽器の暖房装置によれば、スイッチにより、鍵盤蓋を開けたとき、電熱線ヒータが自動的にオンされ、鍵盤蓋を閉めたとき、自動的にオフされるので、鍵盤蓋を誤って閉めたときでも、電熱線ヒータがオン状態のままになることがない。これにより、電熱線ヒータの過熱や、電力の浪費を防止することができるので、安全性および経済性が向上する。
【００１３】
【発明の実施の形態】
以下、添付図面を参照しながら、本発明の一実施形態に係る鍵盤楽器の暖房装置について説明する。図１は、本発明を適用した電気毛布を示している。同図において、電気毛布（暖房装置）１は、その本体が平面形状が横長で矩形の毛布（布）１ａで構成されており、その内部に電熱線ヒータ２が配線されている。この電熱線ヒータ２は、毛布１ａの中央部を挟んで上下に１列ずつ配線された電熱線２ａで構成されており、この電熱線２ａは、隣り合った電熱線２ａ同士が近接するように、一定幅で非常に細かく蛇行を繰り返して配線され、かつ隙間無く非常に密に配線されている。これにより、電熱線ヒータ２は、その長さを稼いで発熱効果を高めることができ、また、後述するように、鍵盤４の上に載せたとき（図４）、鍵盤４全体をムラなく、均等に暖めることができる。
【００１４】
また、上下各１列の電熱線２ａは、それぞれ両端部２ｂ，２ｂで接続され、この接続部２ｂ，２ｂは、毛布１ａの外部に突出しており、毛布１ａを横長に半分に中央部で折り畳んだとき、曲げ荷重がほとんどかからないようになっている。加えて、この接続部２ｂ，２ｂは、その表面に合成樹脂やゴムなどの被覆が施され、外的な力により損傷しないように、補強されている。さらに、図１に示すように、毛布１ａは、内部の中央部の左右方向に、電熱線２ａが配線されておらず、この部分が折畳み部になっている。この折畳み部を介して、毛布１ａを半分に折り畳んだ場合、電熱線２ａは、折畳み部以外に配線されているので、曲げ荷重がほとんどかからない。また、毛布１ａは、折り畳んだとき、その幅と長さが、鍵盤４の上に載せた際、鍵盤４全体をカバーすることが可能なように、鍵盤４全体とほぼ同一のサイズに構成されている。
【００１５】
さらに、電熱線ヒータ２には、その一端部（図１の左端部）に、家庭用電源（ＡＣ１００Ｖ）を電熱線ヒータ２に供給するための電源コード２ｃが接続されており、この電源コード２ｃには、図２に示すように、コントローラＣが設けられている。このコントローラＣは、ユーザーが電熱線ヒータ２の上限温度や、加熱時間および加熱開始時間などを設定するためのものであり、その設定に応じて、電熱線ヒータ２の加熱・停止が、自動的に行われる。
【００１６】
また、電源コード２ｃは、図３に示すように、コントローラＣからアップライトピアノ（鍵盤楽器）３内に延びて、図示しない家庭用電源コンセントに接続されており、その途中には、リミットスイッチ５が設けられている。このリミットスイッチ５は、図３に示すように、アップライトピアノ３の拍子木６の上面に配置されており、鍵盤蓋７の開／閉に応じて、オン／オフ動作を行い、電熱線ヒータ２側への電源供給を実行／停止するように構成されている。
【００１７】
また、図４（ａ）に示すように、毛布１ａの幅方向の端部（同図の上端部または下端部）には、面ファスナ８ａが、３個、固定されており、これらの面ファスナ８ａは、その表面に小さな鉤８ｃを多数、有している。一方、図４（ｂ）に示すように、アップライトピアノ３の鍵盤押え９には、面ファスナ８ｂが、３個（１個のみ図示）、固定されており、これらの面ファスナ８ｂは、その表面に小さな輪８ｄを多数、有している。これらの面ファスナ８ａと面ファスナ８ｂは、それぞれ対になって、面ファスナ８を１個ずつ構成するものであり、鉤８ｃのある面と輪８ｄのある面とを向かい合わせて両者を押しつけることにより、鉤８ｃが輪８ｄに係止される。これにより、面ファスナ８ａが面ファスナ８ｂに固定されるので、毛布１ａの幅方向の端部を、鍵盤押え９に固定できる。
【００１８】
以上のように構成された電気毛布（暖房装置）１について、その動作を説明する。まず、電気毛布１の使用時に、ユーザーは、電気毛布１を図４に示すように折畳み部（中央部の左右方向）において、横長に半分に折り畳む。このとき、この折畳み部の内部には、図１に示すように、電熱線２ａが配線されていないので、電熱線２ａに曲げ荷重がほとんどかからず、断線することがない。次に、この状態で、アップライトピアノ３の鍵盤蓋７を開き、図４（ｂ）に示すように、電気毛布１を鍵盤４の上に載せ、面ファスナ８ａを、面ファスナ８ｂに押しつける。このとき、面ファスナ８ａの鉤８ｃが、面ファスナ８ｂの輪８ｄに係止されるので、電気毛布１が鍵盤押え９に固定され、鍵盤４の上から下に落ちたり、ずれたりしなくなる。
【００１９】
この後、コントローラＣで、電気毛布１の加熱温度や加熱時間を所望のものに設定する。このとき、アップライトピアノ３の鍵盤蓋７を開くことにより、リミットスイッチ５がオンになり、電熱線ヒータ２に電源が供給可能な状態になっているので、コントローラＣの設定に応じて、鍵盤４が暖められる。この鍵盤４の暖房時、電気毛布１は、半分に折り畳んだ状態で、鍵盤４全体を暖めることが可能なサイズであり、さらに、電気毛布１内の電熱線２ａが、隣り合った電熱線２ａ同士が近接するように蛇行し、非常に密に配線されているので、電熱線ヒータ２を発熱させた場合、鍵盤４全体をムラなく、均等に暖めることができる。
【００２０】
また、暖房時に電気毛布１を鍵盤４の上に載せたまま、鍵盤蓋７を誤って閉めた場合、リミットスイッチ５が鍵盤蓋７によりオフにされることによって、電熱線ヒータ２への電源供給が断たれる。これにより、鍵盤蓋７を閉めると、電熱線ヒータ２が必ずオフになり、電熱線ヒータ２の過熱や、電力の浪費を防止することができるので、安全性および経済性が向上する。
【００２１】
この後、鍵盤４が所望の温度まで暖められたら、面ファスナ８を外すことにより、電気毛布１を鍵盤４から取り外す。このとき、電気毛布１は、電源コード２ｃが接続されているだけなので移動が容易であり、演奏者は、必要に応じて、この電気毛布１を広げて、膝にかけることができる（図３）。これにより、演奏時に、演奏者の足元や膝付近を効果的に暖めることができる。また、この電気毛布１は、アップライトピアノ３とは別体なので、従来のような鍵盤内にヒータを埋め込むものと比べて製作が容易になり、その製作コストを削減することができる。
【００２２】
なお、上記実施形態においては、鍵盤蓋７を閉じたとき、電熱線ヒータ２をオフにするスイッチとして、リミットスイッチ５を用いたが、これに限らず、フォトセンサにより鍵盤蓋７の開閉を検出して、電熱線ヒータ２をオンオフしても良いし、鍵盤蓋７の開閉に応じて電熱線ヒータ２をオンオフできるものであれば、どのようなスイッチを用いても良い。また、面ファスナ８ｂを固定する場所は、鍵盤蓋でも良く、鍵盤の近傍であればよい。さらに、電気毛布１を２つ折りに畳んだとき、鍵盤全体とほぼ同一の大きさになるようにしたが、これに限らず、３つ折りなど、どのように折り畳んでも良い。
【００２３】
【発明の効果】
以上のように、本発明の鍵盤楽器の暖房装置によれば、製作が容易で、製作コストを削減することができ、鍵盤および演奏者の足元や膝付近を効果的に暖めることができる。また、その耐久性や安全性および経済性を向上させることができる。
【図面の簡単な説明】
【図１】本発明の鍵盤楽器の暖房装置の一部を破断した平面図である。
【図２】電気毛布を半分に折り畳んで鍵盤の上に載せる状態を示す斜視図である。
【図３】電気毛布をアップライトピアノの演奏時に膝掛けとして利用した状態を示す斜視図である。
【図４】（ａ）電気毛布に固定した面テープを示す斜視図と、（ｂ）鍵盤押えに固定した面テープを示す斜視図である。
【符号の説明】
１    電気毛布（暖房装置）
１ａ  毛布（布）
２        電熱線ヒータ
２ａ  電熱線
３    アップライトピアノ（鍵盤楽器）
４    鍵盤
５    リミットスイッチ（スイッチ）
７    鍵盤蓋
８    一対の面ファスナ
８ａ  面ファスナ
８ｂ  面ファスナ
【図１】
0003618504.tif 000002
【図２】
0003618504.tif 000003
【図３】
0003618504.tif 000004
【図４】
0003618504.tif 000005